(57)【要約】      （修正有）【課題】バッグ本体の内部に収納した中身を暗闇でも容易に探し出して取り出しやすいバッグを提供する。【解決手段】バッグ本体に、上記バッグ本体の内部を明るく照らしうる照明装置が設けられている。上記照明装置は、ＬＥＤで発光しうるライトであって、上記ライトは連結部材を介して上記バッグ本体に取り付けられている。上記ライトは、指で把持しうる大きさであって略円筒状に形成されたケースを有し、上記ケース内部には電池及び上記ＬＥＤが収納され、上記ケースの一部には回転操作によりＯＮ、ＯＦＦ操作しうるスイッチが設けられている。上記バッグ本体の内部には、上記ライトを収納しうるライト格納部が設けられている。【選択図】図１
0003126076.tif 000002
【実用新案登録請求の範囲】
【請求項１】
バッグ本体に、上記バッグ本体の内部を明るく照らしうる照明装置が設けられていることを特徴とするバッグ。
【請求項２】
上記照明装置は、ＬＥＤで発光しうるライトであって、上記ライトは連結部材を介して上記バッグ本体に取り付けられていることを特徴とする請求項１記載のバッグ。
【請求項３】
上記ライトは、指で把持しうる大きさであって略円筒状に形成されたケースを有し、上記ケース内部には電池及び上記ＬＥＤが収納され、上記ケースの一部には回転操作によりＯＮ、ＯＦＦ操作しうるスイッチが設けられていることを特徴とする請求項２記載のバッグ。
【請求項４】
上記連結部材は所要の長さ寸法を有するチェーンであって、上記チェーンは一端が上記ライトのケースに接続されると共に、他端は上記バッグ本体に接続されていることを特徴とする請求項１〜３のいずれかに記載されたバッグ。
【請求項５】
上記バッグ本体の内部には、上記ライトを収納しうるライト格納部が設けられていることを特徴とする請求項２〜４のいずれかに記載されたバッグ。
【請求項６】
上記バッグ本体における前胴部の表面には名刺を収納しうる程度の大きさを有するポケット状の小物入れが設けられ、上記小物入れは収納部と、上記収納部の開口部を開閉可能な蓋部とを有し、上記収納部は一枚革で外方へ膨出しうるように形成されていることを特徴とする請求項１〜５のいずれかに記載されたバッグ。
【考案の詳細な説明】
【技術分野】
【０００１】
本考案はバッグに係り、特に、バッグ本体の内部に収納した中身を暗闇でも容易に探し出して取り出しやすいバッグに関する。
【背景技術】
【０００２】
バッグには様々な小物等を収納して携帯し、必要に応じて使用する小物を取り出すことが多い。
【０００３】
バッグ本体の内部には、複数の小物を整理して収納しうるようにポケットなどが設けられていることが多いが、使用する小物をどのポケットに収納したかを覚えていることは少ない。したがって、小物を取り出す場合はバッグ本体の内部をあれこれ探すことが多い。
【０００４】
しかしながら、夜間などの暗闇では、バッグ本体の内部が暗いので、必要な小物を探し出すのが困難であった。このような場合は、照明のある場所まで移動して、バッグ本体の内部を明るくして小物を取り出す必要があり、必要な小物をバッグ本体から取り出すのに時間がかかるという不具合があった。
【０００５】
本出願人は上記不具合を解消しうるバッグについて調査したが、関連する先行技術文献を発見することはできなかった。
【考案の開示】
【考案が解決しようとする課題】
【０００６】
本考案の課題は、バッグ本体の内部に収納した中身を暗闇でも容易に探し出して取り出しやすいバッグを提供することにある。
【課題を解決するための手段】
【０００７】
上記課題を解決するために、本考案に係るバッグは、バッグ本体に、上記バッグ本体の内部を明るく照らしうる照明装置が設けられていることを特徴とする。
【０００８】
即ち、本考案に係る上記バッグにあっては、暗いためバッグ本体の内部をはっきりと見ることができない場合に、上記照明装置でバッグ本体の内部を明るく照らすことができる。
【０００９】
また、本考案に係る上記バッグにあっては、上記照明装置は、ＬＥＤで発光しうるライトであって、上記ライトは連結部材を介して上記バッグ本体に取り付けられている。
【００１０】
即ち、本考案に係る上記バッグにあっては、ライトの発光体として、明るく、耐久性が良好で、安価なＬＥＤが採用されている。また、上記ライトはバッグ本体から離れて紛失しないように連結部材によりバッグ本体に接続されている。
【００１１】
また、本考案に係る上記バッグにあっては、上記ライトは、指で把持しうる大きさであって略円筒状に形成されたケースを有し、上記ケース内部には電池及び上記ＬＥＤが収納され、上記ケースの一部には回転操作によりＯＮ、ＯＦＦ操作しうるスイッチが設けられている。
【００１２】
即ち、本考案に係る上記バッグにあっては、上記ライトは、ケースを指で把持して回転操作することにより点灯し、又は消灯することができる。
【００１３】
また、本考案に係る上記バッグにあっては、上記連結部材は所要の長さ寸法を有するチェーンであって、上記チェーンは一端が上記ライトのケースに接続されると共に、他端は上記バッグ本体に接続されている。
【００１４】
即ち、本考案に係る上記バッグにあっては、上記チェーンの長さ寸法の制限内で上記ライトを自由に移動させて使用することができる。
したがって、ライトの向きを変えるのも容易で、バッグ本体の隅々を上記ライトで明るく照らして、必要な物品を即座に探すことができる。
【００１５】
また、本考案に係る上記バッグにあっては、上記バッグ本体の内部には、上記ライトを収納しうるライト格納部が設けられている。
【００１６】
即ち、本考案に係る上記バッグにあっては、上記ライトの不使用時には、上記ライトを上記ライト格納部に収納して保管することができる。
【００１７】
また、本考案に係る上記バッグにあっては、上記バッグ本体における前胴部の表面には名刺を収納しうる程度の大きさを有するポケット状の小物入れが設けられ、上記小物入れは収納部と、上記収納部の開口部を開閉可能な蓋部とを有し、上記収納部は一枚革で外方へ膨出しうるように形成されている。
【００１８】
即ち、本考案に係る上記バッグにあっては、上記小物入れに名刺等を収納することにより、名刺入れ等の携帯を省くことができる。また、上記小物入れを一枚革で形成されている。
【考案の効果】
【００１９】
請求項１記載の本考案に係るバッグは、バッグ本体に、上記バッグ本体の内部を明るく照らしうる照明装置が設けられていることから、暗闇でも、上記照明装置でバッグ本体の内部を明るく照らすことができる。
したがって、暗闇で手探りで中身を探し出す困難さが無くなり、中身を迅速かつ容易に探し出して取り出すことができる。
【００２０】
請求項２記載の本考案に係るバッグは、上記照明装置は、ＬＥＤで発光しうるライトであることから、低コストで、高性能を有し、かつ耐久性に優れた照明装置を形成することができる。
また、上記ライトは連結部材を介して上記バッグ本体に取り付けられていることから、バッグ携行時に上記ライトを忘れたり、上記ライトがバッグ本体から離れて紛失することがない。
【００２１】
請求項３記載の本考案に係るバッグは、上記ライトは、指で把持しうる大きさであって略円筒状に形成されたケースを有し、上記ケース内部には電池及び上記ＬＥＤが収納され、上記ケースの一部には回転操作によりＯＮ、ＯＦＦ操作しうるスイッチが設けられていることから、上記ライトは使い易い大きさで操作しやすく、かつ、バッグ本体に取り付けても嵩張らず邪魔になることがない。
また、上記ケースの一部には回転操作によりＯＮ、ＯＦＦ操作しうるスイッチが設けられていることから、ライトを点灯又は消灯するのが簡単である。
【００２２】
請求項４記載の本考案に係るバッグは、上記連結部材は所要の長さ寸法を有するチェーンであって、上記チェーンは一端が上記ライトのケースに接続されると共に、他端は上記バッグ本体に接続されていることから、上記ライトを上記チェーンの長さの制限内で自由に移動させて使用することができる。
したがって、上記ライトの向きを変えるのも容易で、でバッグ本体の内部を隅々まで照らすことができるので、探し物を見つけ出しやすい。
また、上記連結部材としてチェーンを用いたことにより、上記チェーンを装飾のアクセントとすることができる。
【００２３】
請求項５記載の本考案に係るバッグは、上記バッグ本体の内部には、上記ライトを収納しうるライト格納部が設けられていることから、上記ライトを使用しない場合には、上記ライトを上記ライト格納部に収納して保管することができる。
したがって、上記ライトの紛失を防止でき、又、上記ライトが他の収納物に紛れてしまう事態を防止することができる。
【００２４】
請求項６記載の本考案に係るバッグは、上記バッグ本体における前胴部の表面には名刺を収納しうる程度の大きさを有するポケット状の小物入れが設けられ、上記小物入れは収納部と、上記収納部の開口部を開閉可能な蓋部とを有し、上記収納部は一枚革で外方へ膨出しうるように形成されていることから、名刺等を上記小物入れに収納して保持することができる。したがって、上記小物入れを上記のように例えば名刺入れとして使用すれば、別個に名刺入れを所持する必要がなく、名刺を迅速に取り出すことができる。
また、上記小物入れは一枚革で形成されていることから、複数の異なるパーツを夫々縫合して形成する場合に比べ、縫い目がないことから皮革としての素材の品質をより活かし、全体として丸みを帯びた豊かな立体性を強調した小物入れを有する、良好な外観品質をもったバッグを提供することができる。
【考案を実施するための最良の形態】
【００２５】
以下、  図面を用いて本考案の実施の形態について説明する。
本実施の形態に係るバッグ１１は、図１に示すように、バッグ本体１２に、上記バッグ本体１２の内部を明るく照らしうる照明装置４３が設けられている。
また、上記照明装置４３は、ＬＥＤで発光しうるライト４４であって、図１に示すように、上記ライト４４は連結部材４７を介して上記バッグ本体１２に取り付けられている。
また、上記ライト４４は、図１に示すように、指で把持しうる大きさであって略円筒状に形成されたケース４５を有し、上記ケース４５内部には電池及び上記ＬＥＤが収納され、上記ケース４５の一部には回転操作によりＯＮ、ＯＦＦ操作しうるスイッチ４６が設けられている。
また、上記連結部材４７は、図１に示すように、所要の長さ寸法を有するチェーン４８であって、上記チェーン４８は一端が上記ライトのケース４５に接続されると共に、他端は上記バッグ本体１２に接続されている。
また、上記バッグ本体１２の内部には、図２に示すように、上記ライト４４を収納しうるライト格納部４９が設けられている。
また、図１及び図３に示すように、上記バッグ本体１２における前胴部１３の表面には名刺を収納しうる程度の大きさを有するポケット状の小物入れ２１が設けられ、上記小物入れ２１は収納部２２と、上記収納部２２の開口部２３を開閉可能な蓋部２４とを有し、上記収納部２２は一枚革で外方へ膨出しうるように形成されている。
【実施例１】
【００２６】
図は実施例に係るバッグ１１を示したものである。
本実施例に係るバッグ１１は、図１に示すように、トートバッグであって、バッグ本体１２は、前胴部１３、後胴部１４、底面部１５、及び左右のマチ部１６，１７から成り、上端部に開口部１８を有している。
【００２７】
また、上記前胴部１３と後胴部１４には夫々持ち手１９，２０が設けられている。
【００２８】
なお、上記バッグ本体１２の外面部の素材には革が用いられ、その内面部には布地が内張りされている。
【００２９】
上記バッグ本体１２の上記前胴部１３には、図１及び図３に示すように、その表面部における略中央部より少し下方位置に小物入れ２１が設けられている。
【００３０】
上記小物入れ２１は、名刺を収納しうる程度の大きさを有するポケット状の収納部２２と、上記収納部２２の開口部２３を開閉可能な蓋部２４とにより構成されている。
【００３１】
上記収納部２２は、図３に示すように、一枚革で外方へ膨出しうるように形成されている。
即ち、上記収納部２２は、複数の構成パーツを夫々縫合して作成するのではなく、一枚の革を折り曲げることにより左右のマチ部２５，２６と底面部２７とを外方へ膨出するように立ち上げて立体的に形成されている。
その結果、皮革本来の持つ品質を活かし、より立体的な面構成を強調した小物入れを作成することができ、そのような小物入れをアクセントとした良好な外観品質を有するバッグを提供することができる。
【００３２】
また、上記収納部２２の前胴部２８には略半円状の切込み２９が設けられ、図３に示すように、上記蓋部２４の先端部には上記切込み２９に差し込んで係合させることにより閉蓋状態を維持しうる係止突部３０が設けられている。
【００３３】
上記小物入れ２１における上記収納部２２には、名刺を収納することができる。
したがって、名刺入れを別に所持する煩瑣がなく、かつ名刺を迅速に取り出して相手に渡すことができる。
【００３４】
上記バッグ本体１１の内部には、図２に示すように、２枚の仕切部材３１，３２が長さ方向に沿って設けられ、バッグ本体１１の内部は幅方向に３分割されている。
即ち、バッグ本体１１の内部には、上記仕切部材３１，３２で区画された３箇所の収納部３３，３４，３５が設けられている。
上記３箇所の収納部３３，３４，３５における中央部の収納部３４は、スライドファスナ３６により開閉可能に形成されている。
【００３５】
上記バッグ本体１１における上記前胴部１３の内面部には、ポケット３７が設けられると共に、上記ポケット３７の長さ方向の一端には携帯電話収納ケース部３８が設けられている。
【００３６】
上記バッグ本体１１における上記後胴部１４の内面部には、スライドファスナ３９で開閉可能なポケット４０が設けられている。
【００３７】
また、上記前胴部１３の内面部と、上記後胴部１４の内面部には、対向するようにマグネット４１，４２が取り付けられている。
したがって、上記前胴部１３の内面部と上記後胴部１４の内面部とを接触させて、上記一対のマグネット４１，４２を吸着させることにより上記開口部１８を閉止することができる。
【００３８】
本考案に係るバッグ１１には、図１に示すように、上記バッグ本体１２の内部を明るく照らしうる照明装置４３が設けられている。
【００３９】
上記照明装置４３としては、ＬＥＤで発光しうるライト４４が採用されている。
【００４０】
上記ライト４４は、指で把持しうる大きさであって略円筒状に形成されたケース４５を有し、上記ケース４５の内部には、図示しないが電池及び上記ＬＥＤが収納されている。
また、上記ケース４５の一部には回転操作によりＯＮ、ＯＦＦ操作しうるスイッチ４６が設けられている。
【００４１】
上記ライト４４は連結部材４７を介して上記バッグ本体１２に取り付けられている。
上記連結部材４７には、図１に示すように、所要の長さ寸法を有する金属製のチェーン４８が採用されている。
【００４２】
上記チェーン４８は一端が、上記ライト４４のケース４５の一端に接続されると共に、他端は、図２に示すように、上記バッグ本体１２の前胴部１３の内面部で、上記持ち手１９の取付位置の近傍に止着されている。
【００４３】
上記バッグ本体１２の内部には、図２に示すように、上記ライト４４を収納しうるライト格納部４９が設けられている。
【００４４】
即ち、上記ライト格納部４９として、スライドファスナ３６により開閉可能に形成された中央部の上記収納部３４の一端で、上記マチ部１６の内面部に略円筒状ポケット５０が設けられている。
【００４５】
次に、上記実施例の作用について説明する。
上記バッグ本体１２の内部に設けられた上記３ヶ所の収納部３３，３４，３５と、２個所のポケット３７，４０には、夫々物品を整理して収納することができる。
しかしながら、夜間等の暗闇で、バッグ本体１２の内部から必要な物品を取り出そうとする場合は、バッグ本体１２の内部が暗くて見えにくいことから、手探りで必要な物品を探さねばならぬという煩雑があった。
【００４６】
このような場合、本実施例に係るバッグ１１にあっては、上記照明装置４３であるライト４４をバッグ本体１２の上記ライト格納部４９から取り出して、スイッチ４６をＯＮすることにより点灯して、上記バッグ本体１２の内部を明るく照らすことができる。
したがって、必要な物品を速やかに見つけて取り出すことができる。
【００４７】
上記ライト４４を使用しないときは、上記ライト４４を上記ライト格納部４９に収納して保管することができる。
また、上記ライト４４は上記チェーン４８によりバッグ本体１２に連結されているので、落下して破損したり、紛失する心配がない。
【産業上の利用可能性】
【００４８】
本考案は、いかなるバッグにも適用可能である。
【図面の簡単な説明】
【００４９】
【図１】本考案の実施例に係るバッグの斜視図である。
【図２】本考案の実施例に係るバッグにおけるバッグ本体の開口部を拡開した状態の平面図である。
【図３】本考案の実施例に係るバッグにおいて小物入れが設けられた箇所の部分断面図である。
【符号の説明】
【００５０】
１１  バッグ
１２  バッグ本体
１３  前胴部
１４  後胴部
１５  底面部
１６  マチ部
１７  マチ部
１８  開口部
１９  持ち手
２０  持ち手
２１  小物入れ
２２  収納部
２３  開口部
２４  蓋部
２５  マチ部
２６  マチ部
２７  底面部
２８  前胴部
２９  切込み
３０  係止突部
３１  仕切部材
３２  仕切部材
３３  収納部
３４  収納部
３５  収納部
３６  スライドファスナ
３７  ポケット
３８  携帯電話収納ケース部
３９  スライドファスナ
４０  ポケット
４１  マグネット
４２  マグネット
４３  照明装置
４４  ライト
４５  ケース
４６  スイッチ
４７  連結部材
４８  チェーン
４９  ライト格納部
５０  略円筒状ポケット
【図１】
0003126076.tif 000003
【図２】
0003126076.tif 000004
【図３】
0003126076.tif 000005